(57)【要約】【課題】遮音性能を容易に向上させることができるとともに、固定荷重の増加を少なくして建物構造への影響を防止でき、例えば、オフィスビルとして建設された建物を住宅用の建物へ用途を簡単に変更できるようにすること。【解決手段】二重床構造１０は、例えば鉄骨製の大梁７，８および小梁９の上側に配置された床スラブ５の上側に床仕上材１２が設けられることにより構成される。二重床構造１０は、床スラブ５の上面で小梁９の上方の位置に取り付けられる支持部材１６と、支持部材１６により支持され、小梁９と直交する向きに第２大梁８間に亘って掛け渡され、床仕上材１２を支持する大引１４とを備える。支持部材１６は、粘弾性材１５を介して床スラブ５上面に取り付けられる基板３６と、基板３６に垂設され大引１４が取り付けられる垂直板３８とを備える。【選択図】図２
2005314885.tif 000002
【特許請求の範囲】
【請求項１】
大梁および小梁の上側に配置された床スラブの上側に床仕上材が設けられてなる二重床構造であって、
前記床スラブ上面の、前記小梁の上方位置に取り付けられた支持部材と、
この支持部材により支持され、前記小梁と直交する向きに大梁間に亘って掛け渡された、前記床仕上材を支持する大引とを備えることを特徴とする二重床構造。
【請求項２】
請求項１に記載の二重床構造において、
前記支持部材と前記大引との間、および、前記支持部材と前記床スラブとの間の少なくともいずれかには粘弾性材が介挿されていることを特徴とする二重床構造。
【請求項３】
請求項２に記載の二重床構造において、
前記支持部材は、前記粘弾性材を介して前記床スラブ上面に取り付けられる基板と、この基板に垂設され、前記大引が取り付けられる垂直板とを備え、この垂直板の両側または片側に前記大引が取り付けられていることを特徴とする二重床構造。
【請求項４】
請求項２に記載の二重床構造において、
前記支持部材は、前記床スラブ上面に取り付けられる基板と、この基板に垂設され、前記粘弾性材を介して前記大引が取り付けられる垂直板とを備えることを特徴とする二重床構造。
【請求項５】
請求項１〜請求項４のいずれかに記載の二重床構造において、
前記大引は、端部同士が離間した状態で前記小梁の上方で接続され、かつ一直線状に配置される複数の大引材により構成され、
前記支持部材は、前記各大引材の端部にそれぞれ取り付けられ、隣接する当該支持部材が互いに離間していることを特徴とする二重床構造。
【請求項６】
請求項１〜請求項５のいずれかに記載の二重床構造において、
前記大引および前記支持部材は、前記大梁の上方に設けられる壁から離間するように配置されることを特徴とする二重床構造。
【請求項７】
大梁および小梁の上側に配置された床スラブの上側に床仕上材が設けられてなる二重床構造の施工方法であって、
前記床スラブ上面の、前記小梁の上方位置に支持部材を取り付け、
前記小梁と直交する向きに前記大梁間に亘って前記支持部材の上に大引を掛け渡し、
前記大引の上に前記床仕上材を設けることを特徴とする二重床構造の施工方法。
【発明の詳細な説明】
【技術分野】
【０００１】
本発明は、二重床構造および二重床構造の施工方法に関し、特に、遮音性能を容易に向上するために好適な二重床構造および二重床構造の施工方法に関する。
【背景技術】
【０００２】
一般に、建物の床には、歩行等によるコツコツとした軽量衝撃音や、飛びはね等によるドンドンとした重量衝撃音が加わる。このため、居住性が重視されるマンション等の集合住宅では、これらの衝撃音が上下階や隣室などへ伝達しないように、１級（軽量衝撃音ＬＬ−４５，重量衝撃音ＬＨ−５０）の高水準の遮音性能が要求されることがある。
このような高水準の遮音性能を満たすために、一般に、集合住宅には、遮音性能の高い鉄筋コンクリート造（ＲＣ造）が採用され、その上、荷重支持に必要な厚みよりも床スラブ厚を大きくした構成や、束材を介して床スラブ上に床仕上材を設けた二重床構造、あるいは、緩衝材を介して床スラブ上に床仕上材を設けた構成などが採用されている（例えば、非特許文献１参照）。
【０００３】
一方、オフィスビルでは、集合住宅ほどの遮音性能は要求されないため、一般的には、遮音性能の高いＲＣ造ではなくて、床スラブ厚を比較的小さく軽量にできて、かつ安価に施工できる鉄骨造（Ｓ造）が採用されている。なお、このようなオフィスビルには、Ｓ造以外に、例えば集合住宅の場合より遮音性能が低下したＲＣ造も採用されている。
【非特許文献１】日本建築学会編，「建築物の遮音性能基準と設計指針」，第二版，技報堂出版株式会社，１９９９年２月１５日，Ｐ１０４
【発明の開示】
【発明が解決しようとする課題】
【０００４】
ところで、オフィスビルとして施工された建物は、住宅として施工された建物に比べて室内が広いため、近年、オフィスビルとして施工された建物を住宅に転用（コンバージョン）したいという要望がある。一般的には、住宅として使用する場合の方が、オフィスビルとして使用する場合に比べて積載荷重が小さくなるため、コンバージョンに際して、建物の構造上の問題が生じることはない。
【０００５】
しかしながら、前述したように、オフィスビルとして施工された建物をそのまま住宅に転用しようとすると、遮音性能の高いＲＣ造が採用された住宅用の建物に比べて遮音性能の点で劣ることになる。そこで、コンバージョンの際に、床スラブを増し打ちしてスラブ厚を大きくすることにより遮音性能を確保することも考えられるが、この場合には、建物の固定荷重が大きくなりすぎて、建物構造に何らかの影響が生じる可能性がある上、施工が大がかりで煩雑になるという問題がある。
【０００６】
本発明の目的は、遮音性能を容易に向上させることができるとともに、固定荷重の増加を少なくして建物構造への影響を防止でき、例えば、オフィスビルとして建設された建物を住宅用の建物へ用途を簡単に変更できる二重床構造および二重床構造の施工方法を提供することにある。
【課題を解決するための手段】
【０００７】
本発明は、大梁および小梁の上側に配置された床スラブの上側に床仕上材が設けられてなる二重床構造であって、前記床スラブ上面の、前記小梁の上方位置に取り付けられた支持部材と、この支持部材により支持され、前記小梁と直交する向きに大梁間に亘って掛け渡された、前記床仕上材を支持する大引とを備えることを特徴とする。なお、大梁および小梁は、例えば鉄骨製等とすることができる。
【０００８】
本発明によれば、比較的剛性の高い小梁の上方に設けられた支持部材で大引を支持する構成としたので、床仕上材からの振動が伝達される部分の剛性が高まることにより、床スラブへの振動の伝達を低減でき、床の遮音性能を向上できる。
従って、遮音性能に劣る建物に対して十分な遮音性能を付与でき、例えば、オフィスビルとして施工された建物を住宅用の建物に用途を変更することができる。
また、支持部材を介して、床スラブ上に大引を配置するだけなので、床スラブ厚を増し打ちする場合等に比べて、建物の固定荷重を少なくして建物構造への影響を低減できるとともに、施工性の容易化を図ることができる。
【０００９】
このような二重床構造において、前記支持部材と前記大引との間、および、前記支持部材と前記床スラブとの間の少なくともいずれかに粘弾性材が介挿されている構成を採用できる。このような構成によれば、支持部材と大引との間、および、支持部材と床スラブとの間の少なくともいずれかに介挿された粘弾性材がせん断変形や伸縮変形することにより、床仕上材から大引に掛かる衝撃音（振動）を吸収するので、床スラブに伝達される振動を低減でき、床の遮音性能を向上できる。
【００１０】
ここで、前記支持部材は、前記粘弾性材を介して前記床スラブ上面に取り付けられる基板と、この基板に垂設され、前記大引が取り付けられる垂直板とを備え、この垂直板の両側または片側に前記大引が取り付けられている構成を採用できる。また、前記支持部材は、前記床スラブ上面に取り付けられる基板と、この基板に垂設され、前記粘弾性材を介して前記大引が取り付けられる垂直板とを備える構成を採用してもよい。
【００１１】
以上の二重床構造において、前記大引は、端部同士が離間した状態で前記小梁の上方で接続され、かつ一直線状に配置される複数の大引材により構成され、前記支持部材は、前記各大引材の端部にそれぞれ取り付けられ、隣接する当該支持部材が互いに離間している構成を採用できる。
このような構成によれば、隣接する支持部材や大引材を互いに離間するので、一の大引材に加わった振動が他の大引材に直接伝達することがないから、床全体としての遮音性能を向上できる。
【００１２】
以上の二重床構造において、前記大引および前記支持部材は、前記大梁の上方に設けられる壁から離間するように配置されることが好ましい。このような構成によれば、床の振動が壁を通して隣室などへ伝達することを防止できる。
【００１３】
また、本発明は、大梁および小梁の上側に配置された床スラブの上側に床仕上材が設けられてなる二重床構造の施工方法であって、前記床スラブ上面の、前記小梁の上方位置に支持部材を取り付け、前記小梁と直交する向きに前記大梁間に亘って前記支持部材の上に大引を掛け渡し、前記大引の上に前記床仕上材を設けることを特徴とする。
【発明の効果】
【００１４】
本発明の二重床構造および二重床構造の施工方法によれば、遮音性能を容易に向上させることができるとともに、固定荷重の増加を少なくして建物構造への影響を防止でき、例えば、オフィスビルとして建設された建物を住宅用の建物へ用途を簡単に変更できるという効果がある。
【発明を実施するための最良の形態】
【００１５】
［第１実施形態］
以下、本発明の第１実施形態に係る建物および二重床構造について説明する。
まず、二重床構造１０が設けられる建物１について説明する。
図１は、本発明の一実施形態に係る二重床構造１０が設けられた建物１の一部を示す図であり、（Ａ）はその平面図、（Ｂ）はその縦断面図である。図１に示すように、建物１は、例えば鉄骨造（Ｓ造）の建物であり、いわゆるオフィスビルとして用いられている。建物１は、柱２および梁３からなる架構４と、梁３の上側に設けられるコンクリート製の床スラブ５と、架構４に設けられる壁（戸境壁）６とを備えている。梁３は、柱２の長スパン方向に掛け渡された第１大梁７と、柱２の短スパン方向に掛け渡された第２大梁８と、第１大梁７の間に、第２大梁８と平行に掛け渡された小梁９とを備えている。
【００１６】
次に、図１とともに図２，図３を参照して、二重床構造１０について説明する。
図２は、二重床構造１０の要部を示す断面図である。図３は、図２のIII−III断面図である。図２に示すように、二重床構造１０は、上面が室内に露出する床仕上材１２と、床スラブ５上面に取り付けられる支持部材１６と、支持部材１６に取り付けられ、床仕上材１２を支持する大引１４と、床スラブ５および大引１４の間に介挿されるゴム等の粘弾性材１５とを備えている。
【００１７】
図１に示すように、大引１４は、第２大梁８および小梁９と直交する向きに、第２大梁８間に亘って掛け渡されている。また、図３に示すように、大引１４は、端部２０Ａ同士が離間した状態で小梁９の上方で接続され、かつ一直線状に配置された複数の大引材２０により構成されている。図２に示すように、各大引材２０は、例えば断面Ｃ字状の溝形鋼により構成され、床仕上材１２を支持するフランジ面２１と、ウェブ面２２とを備えている。
【００１８】
図１に示すように、支持部材１６は、小梁９の上方に設けられている。また、支持部材１６は、図２，図３に示すように、大引材２０の端部２０Ａごとに取り付けられる取付部３０と、床スラブ５の上面にアンカーボルト３１等で取り付けられるベースプレート３２とを備えている。
【００１９】
図３に示すように、隣接する支持部材１６の取付部３０は、互いに離間している。また、図２に示すように、取付部３０は、例えば断面逆Ｔ字状の鋼製部材であり、粘弾性材１５を介してベースプレート３２上に設けられた基板３６と、基板３６に垂設された垂直板３８とを備えている。垂直板３８の両側には、大引材２０のフランジ面２１が例えばボルト締め等により接合されている。なお、垂直板３８の片側のみに大引材２０を接合してもよい。
【００２０】
本実施形態の二重床構造１０は、以下のようにして建物１に施工される。
まず、小梁９の上方の床スラブ５上面にアンカーボルト３１等によってベースプレート３２を固定する。次に、粘弾性材１５を介してベーススープレート３２の上に取付部３０を配置するとともに、隣接する取付部３０の間に各大引材２０を掛け渡して、取付部３０の垂直板３８の両側から各大引材２０のフランジ面２１をボルト等により接合する。これにより、床スラブ５の上方に大梁８間のスパンに亘る大引１４が複数列配置されることになる。最後に、これらの大引１４の上側に支持されるように床仕上材１２を設置する。この際、床仕上材１２、大引１４および支持部材１６を壁６から離間させる。以上のようにして、建物１に二重床構造１０を施工する。
【００２１】
本実施形態においては、次のような効果がある。
(１)床スラブ５と大引１４との間に配置された粘弾性材１５が伸縮変形することにより、床仕上材１２から大引１４へと掛かる衝撃音（振動）を吸収するので、床スラブ５に伝達される振動を低減できて、床の遮音性能を向上できる。
【００２２】
(２)比較的剛性の高い小梁９の上方に設けた支持部材１６で大引１４を支持する構成としたので、振動を伝達する部分の剛性が高まることにより、床スラブ５への振動伝達を低減して、床の遮音性能を向上できる。
【００２３】
(３)このように遮音性能に劣る例えばＳ造の建物１に十分な遮音性能を付与できるので、オフィスビル用の建物１を遮音要求の高い住宅用に用途変更（コンバージョン）できる。
【００２４】
(４)支持部材１６を介して床スラブ５上に大引１４を配置するだけなので、床スラブ５を増し打ちする場合などに比べて、建物１の固定荷重を少なくして建物構造への影響を低減できるとともに、施工性の容易化を図ることができる。
【００２５】
(５)二重床構造１０と壁６とを離間した構成としたので、床仕上材１２の振動が壁６を通して隣室などへ伝達することを防止できる。
【００２６】
(６)隣接する取付部３０および大引材２０を離間した構成としたので、各大引材２０に加わった振動が他の大引材２０に伝達することを防止できるから、床の遮音性能を向上できる。
【００２７】
(７)階高に余裕がある場合には、大引１４の寸法を大きくするとともに、支持部材１６の点数を減少させ、また、階高にあまり余裕がない場合には、大引１４の寸法を小さくするとともに、支持部材１６の点数を増加させることにより、既存の建物１の階高の影響を受けることなく、様々な条件の建物１に対応できる。
【００２８】
(８)建物１に設けられた床スラブ５の性能に応じて、支持部材１６の点数を増加・減少させることにより、建物１ごとに、より効果的な遮音性能や振動性能が得られる構成にできるため、設計の自由度を向上できる。
【００２９】
(９)また、従来の束材を用いた二重床構造のように比較的短い間隔で配置した多数の束材で床仕上材を支持する場合に比べて、数本の大引１４を配置するだけでよいから、二重床構造１の施工が簡単である。
【００３０】
［第２実施形態］
次に、本発明の第２実施形態に係る建物および二重床構造について説明する。
図４は、本発明の第２実施形態に係る二重床構造１００の要部を示す断面図である。
図４に示すように、二重床構造１００は、第１実施形態の二重床構造とは、支持部材の構成、特に、粘弾性材１５の取り付け位置の点で相違している。従って、以下、この点を中心に二重床構造１００について説明する。なお、第１実施形態と同一または相当する構成品には同じ符号を付して、説明を省略または簡略化する。
【００３１】
図４に示すように、二重床構造１００を構成する支持部材１０２は、断面逆Ｔ字状の取付部３０と、粘弾性材１５と、取付プレート１０４とを備えている。取付部３０は、床スラブ５に取り付けられる基板３６と、基板３６に垂設された垂直板３８とを備えている。垂直板３８の両側には粘弾性材１５が設けられ、さらにその両側から取付プレート１０４を介して大引材２０のウェブ面２２が配置され、これらがボルト締め等により互いに接合されている。
【００３２】
このような二重床構造１００によれば、第１実施形態の(２)〜(８)と略同様の効果に加えて、大引１４と取付プレート１０４との間に配置された粘弾性材１５がせん断変形することにより、床仕上材１２から大引１４へと掛かる振動を吸収するので、取付プレート１０４を介して床スラブ５へと伝達される振動を低減でき、床の遮音性能を向上できるという効果を奏することができる。
【００３３】
なお、本発明は、前記各実施形態に限定されず、本発明の目的を達成できる他の構成等を含み、以下に示すような変形例も本発明に含まれる。
図５は、本発明の第１変形例に係る二重床構造２００の要部を示す断面図である。図５に示すように、二重床構造２００は、前記各実施形態とは、大引の構成と、取付部の構成とが相違している。すなわち、前記各実施形態では、複数の大引材２０を接続して大引１４を構成したが、第１変形例では、１本の長い大引材２０２のみを使用して、この長い大引材２０２を対向する第２大梁８（図１参照）間に亘って配置することにより大引１４を構成している。この変形例では、大引材２０２が１本だけなので、大引材２０２の端部だけでなく、中間部２０２Ａである小梁９の上方位置にも取付部３０を設けている。
【００３４】
また、図６は、本発明の第２変形例に係る二重床構造３００の要部を示す断面図である。前記各実施形態では、複数の大引材２０の端部２０Ａごとに取付部３０を設けたが、本変形例では、図６に示すように、隣接する大引材２０の端部２０Ａ同士を１つの取付部３０２で連結している。
【００３５】
また、前記各実施形態において、大引１４として溝形鋼を用いたが、これらに限らず、例えば、鋼管などの他の部材を用いてもよい。
また、前記各実施形態において、垂直板３８の両側にそれぞれ大引材２０を接合、すなわち、１つの垂直板３８に対して２つの大引材２０を接合したが、１つの垂直板３８に対して大引材２０を１つ接合してもよい。つまり、大引１４の点数は限定されない。
なお、以上の二重床構造では、当該二重床構造と壁とを切り離す構成を採用していたが、これらに限らず、二重床構造と壁とを当接する構成としてもよい。
また、前記各実施形態では、建物１を例えばＳ造としたが、集合住宅の場合よりも比較的遮音性能の低いＲＣ造としてもよい。
【実施例】
【００３６】
図７は、二重床構造１０を構成する支持部材１６の設置箇所別における、周波数とインピーダンスレベルとの関係を示す図である。図７に示すように、床スラブ５および小梁９で支持部材１６を支持した場合と、床スラブ５のみで支持部材１６を支持した場合とを比較すると、集合住宅で問題となる衝撃音に相当する周波数６３Ｈｚ帯域（図７中のＡ）では、床スラブ５および小梁９で支持部材１６を支持した場合が平均１２４．８ｄＢであり、床スラブ５のみで支持部材１６を支持した場合が平均１１６．１ｄＢであった。このため、床スラブ５および小梁９で支持部材１６を支持した場合の方がインピーダンスレベルが大きくなっていることから、遮音性能が向上していることが分かった。
【図面の簡単な説明】
【００３７】
【図１】本発明の一実施形態に係る二重床構造を示す図であって、（Ａ）はその平面図であり、（Ｂ）はその縦断面図である。
【図２】前記二重床構造の要部を示す断面図である。
【図３】図２のIII−III断面図である。
【図４】本発明の第２実施形態に係る二重床構造の要部を示す断面図である。
【図５】本発明の第１変形例に係る二重床構造の要部を示す断面図である。
【図６】本発明の第２変形例に係る二重床構造の要部を示す断面図である。
【図７】前記二重床構造を構成する支持部材の設置箇所別における、周波数とインピーダンスレベルとの関係を示す図である。
【符号の説明】
【００３８】
１      建物
２      柱
３      梁
５      床スラブ
６      壁
７      第１大梁
８      第２大梁
９      小梁
１０，１００，２００，３００      二重床構造
１２      床仕上材
１４      大引
１５      粘弾性材
１６，１０２      支持部材
２０，２０２      大引材
２０Ａ，２０２Ａ      端部
２１      フランジ面
２２      ウェブ面
３０，３０２      取付部
３６      基板
３８      垂直板
【図１】
2005314885.tif 000003
【図２】
2005314885.tif 000004
【図３】
2005314885.tif 000005
【図４】
2005314885.tif 000006
【図５】
2005314885.tif 000007
【図６】
2005314885.tif 000008
【図７】
2005314885.tif 000009